【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
センサデバイスであって、
樹脂部と、
検出軸を有するセンサ素子、前記センサ素子を内部に収容し外部に前記センサデバイスにおける実装面に対して傾斜又は垂直な辺を含む外形を備えている端子形成面及び側面を有するパッケージ、及び前記辺に沿って配置されている複数の接続端子を有し、前記樹脂部の内部に配置されるセンサ部品と、
複数の実装用リードと、
を備え、
前記複数の実装用リードは、
前記センサデバイスの前記実装面に接続される一端部と、
前記樹脂部の内部において、前記端子形成面と重なっており、且つ前記接続端子と電気的に接続されている他端部と、
前記樹脂部の外側において、前記一端部と前記他端部との間に位置する中間部と、
を備え、
前記樹脂部の外側において、前記他端部と前記中間部との間にあって前記中間部を前記側面に近づけるように曲げられた第１の曲げ部と、
前記樹脂部の外側において、前記一端部と前記中間部との間に第２の曲げ部と、
を有し、
前記第１の曲げ部は、前記一端部が前記他端部より前記センサ部品が存在する側に位置するように曲がっていることを特徴とするセンサデバイス。
【請求項２】
請求項１に記載のセンサデバイスであって、
前記辺は、第１の辺および前記第１の辺に対向する第２の辺を有し、
前記複数の実装用リードは、
前記樹脂部の内部において、前記第１の辺に沿って配置されている前記接続端子と電気的に接続されている前記他端部を有する複数の第１の実装用リードと、
前記樹脂部の内部において、前記第２の辺に沿って配置されている前記接続端子と電気的に接続されている前記他端部を有する複数の第２の実装用リードと、
を備え、
前記複数の第１及び第２の実装用リードの前記第２の曲げ部は、前記一端部が前記樹脂部に沿うように曲がっており、
前記樹脂部は、前記複数の第１の実装用リードの前記一端部と前記複数の第２の実装用リードの前記一端部との間において、前記複数の第１及び第２の実装用リードの前記一端部が沿う前記樹脂の面より突出する突部を備えることを特徴とするセンサデバイス。
【請求項３】
請求項１または２に記載のセンサデバイスであって、
前記他端部の少なくとも一部は、前記端子形成面の平面視において前記接続端子と重なっていることを特徴とするセンサデバイス。
【請求項４】
請求項１乃至３のいずれか一項に記載のセンサデバイスであって、
前記他端部は、前記接続端子と金属ワイヤによって接続され、
前記接続端子のうち、前記端子形成面の平面視において前記他端部と重ならない部分に、前記金属ワイヤの一端が接続され、
前記実装用リードに、前記金属ワイヤの他端が接続されていることを特徴とするセンサデバイス。
【請求項５】
請求項１乃至請求項４のいずれか一項に記載のセンサデバイスであって、
前記中間部には、角度付け部が設けられていることを特徴とするセンサデバイス。
【請求項６】
請求項１乃至請求項４のいずれか一項に記載のセンサデバイスであって、
前記中間部の形状が、円弧状であることを特徴とするセンサデバイス。
【請求項７】
請求項１、３乃至請求項５のいずれか一項に記載のセンサデバイスであって、
前記複数の実装用リードの前記第１の曲げ部の曲げ方向は、前記端子形成面から前記パッケージの前記内部側に向かう第１の方向と、前記第１の方向とは反対方向の第２の方向とに分けられていることを特徴とするセンサデバイス。
【請求項８】
請求項７に記載のセンサデバイスであって、
前記複数の実装用リードの前記第１の曲げ部の曲げ方向は、互いに隣り合う実装用リードにおいて、前記第１の方向と前記第２の方向とに交互に曲げられていることを特徴とするセンサデバイス。
【手続補正２】
【補正対象書類名】明細書
【補正対象項目名】０００９
【補正方法】変更
【補正の内容】
【０００９】
本発明は、上述の課題の少なくとも一部を解決するためになされたものであり、以下の形態又は適用例として実現することが可能である。
第１の形態のセンサデバイスは、センサデバイスであって、樹脂部と、検出軸を有するセンサ素子、前記センサ素子を内部に収容し外部に前記センサデバイスにおける実装面に対して傾斜又は垂直な辺を含む外形を備えている端子形成面及び側面を有するパッケージ、及び前記辺に沿って配置されている複数の接続端子を有し、前記樹脂部の内部に配置されるセンサ部品と、複数の実装用リードと、を備え、前記複数の実装用リードは、前記センサデバイスの前記実装面に接続される一端部と、前記樹脂部の内部において、前記端子形成面と重なっており、且つ前記接続端子と電気的に接続されている他端部と、前記樹脂部の外側において、前記一端部と前記他端部との間に位置する中間部と、を備え、前記樹脂部の外側において、前記他端部と前記中間部との間にあって前記中間部を前記側面に近づけるように曲げられた第１の曲げ部と、前記樹脂部の外側において、前記一端部と前記中間部との間に第２の曲げ部と、を有し、前記第１の曲げ部は、前記一端部が前記他端部より前記センサ部品が存在する側に位置するように曲がっていることを特徴とするセンサデバイス。
【手続補正３】
【補正対象書類名】明細書
【補正対象項目名】００１０
【補正方法】変更
【補正の内容】
【００１０】
第２の形態のセンサデバイスは、第１の形態に記載のセンサデバイスであって、前記辺は、第１の辺および前記第１の辺に対向する第２の辺を有し、前記複数の実装用リードは、前記樹脂部の内部において、前記第１の辺に沿って配置されている前記接続端子と電気的に接続されている前記他端部を有する複数の第１の実装用リードと、前記樹脂部の内部において、前記第２の辺に沿って配置されている前記接続端子と電気的に接続されている前記他端部を有する複数の第２の実装用リードと、を備え、前記複数の第１及び第２の実装用リードの前記第２の曲げ部は、前記一端部が前記樹脂部に沿うように曲がっており、前記樹脂部は、前記複数の第１の実装用リードの前記一端部と前記複数の第２の実装用リードの前記一端部との間において、前記複数の第１及び第２の実装用リードの前記一端部が沿う前記樹脂の面より突出する突部を備えることを特徴とするセンサデバイス。
第３の形態のセンサデバイスは、第１または第２の形態に記載のセンサデバイスであって、前記他端部の少なくとも一部は、前記端子形成面の平面視において前記接続端子と重なっていることを特徴とするセンサデバイス。
【手続補正４】
【補正対象書類名】明細書
【補正対象項目名】００１１
【補正方法】変更
【補正の内容】
【００１１】
第４の形態のセンサデバイスは、第１乃至第３のいずれか一形態に記載のセンサデバイスであって、前記他端部は、前記接続端子と金属ワイヤによって接続され、前記接続端子のうち、前記端子形成面の平面視において前記他端部と重ならない部分に、前記金属ワイヤの一端が接続され、前記実装用リードに、前記金属ワイヤの他端が接続されていることを特徴とするセンサデバイス。
【手続補正５】
【補正対象書類名】明細書
【補正対象項目名】００１２
【補正方法】変更
【補正の内容】
【００１２】
第５の形態のセンサデバイスは、第１乃至第４のいずれか一の形態に記載のセンサデバイスであって、前記中間部には、角度付け部が設けられていることを特徴とするセンサデバイス。
【手続補正６】
【補正対象書類名】明細書
【補正対象項目名】００１３
【補正方法】変更
【補正の内容】
【００１３】
第６の形態のセンサデバイスは、第１乃至第４のいずれか一の形態に記載のセンサデバイスであって、前記中間部の形状が、円弧状であることを特徴とするセンサデバイス。
【手続補正７】
【補正対象書類名】明細書
【補正対象項目名】００１４
【補正方法】変更
【補正の内容】
【００１４】
第７の形態のセンサデバイスは、第１、第３乃至第５のいずれか一の形態に記載のセンサデバイスであって、前記複数の実装用リードの前記第１の曲げ部の曲げ方向は、前記端子形成面から前記パッケージの前記内部側に向かう第１の方向と、前記第１の方向とは反対方向の第２の方向とに分けられていることを特徴とするセンサデバイス。
【手続補正８】
【補正対象書類名】明細書
【補正対象項目名】００１５
【補正方法】変更
【補正の内容】
【００１５】
第８の形態のセンサデバイスは、第７の形態に記載のセンサデバイスであって、前記複数の実装用リードの前記第１の曲げ部の曲げ方向は、互いに隣り合う実装用リードにおいて、前記第１の方向と前記第２の方向とに交互に曲げられていることを特徴とするセンサデバイス。